(57)【要約】      （修正有）【課題】ＣＤやＤＶＤなどを適切に収容保持しながら従来のグリーティングカードと同じように使用することができるように統一感のあるデザインを全体的に施した新しい製品を提供する。【解決手段】文字や音声や画像の記録媒体としての所定サイズの未記録ＣＤ等３を嵌め込み式に保持する機構６を有し、該機構６以外は紙製素材により形成した、好ましくは少なくとも二つ折りとした収容保持具４であり、所定サイズにプリントされた写真等を同時に収容するためのポケット部１２を有することを特徴とする未記録ＣＤ等の紙製収容保持材４である。【選択図】図１
2008162686.tif 000002
【特許請求の範囲】
【請求項１】
文字や音声や画像の記録媒体としての所定サイズの未記録ＣＤ等を保持する機構を有し、全体を紙製素材により形成した、好ましくは少なくとも二つ折りとした収容保持具であり、所定サイズにプリントされた写真等を同時に収容するためのポケット部を有することを特徴とする未記録ＣＤ等の紙製収容保持材。
【請求項２】
未記録のＣＤ等を保持する機構が嵌め込み式のものであり、それ以外がすべて紙製素材により形成されたものであることを特徴とする請求項１に記載の未記録ＣＤ等の紙製収容保持材。
【請求項３】
未記録ＣＤ等と写真やメモ等をそれぞれに収容した状態で、折り曲げ部を所定角度に開き立て掛けた状態とすることで収容したＣＤ等と写真等収容ポケット部とを同時に観察できるようにしたことを特徴とする請求項１または請求項２に記載の未記録ＣＤ等の紙製収容保持材。
【請求項４】
写真やメモ等収容ポケット部に開口窓部を形成し、立て掛け状態とした場合に収容した写真等の画像内容が観察可能なものとされていることを特徴とする請求項１〜請求項３の何れか１つに記載の未記録ＣＤ等の紙製収容保持材。
【請求項５】
外側の面・ＣＤデザイン・内側の面にも一連のイメージとしての図柄や画像を印刷し、写真やメモ等の収容ポケットの開口部や収容ポケットの入り口の形状も一連のイメージとしていることを特徴とする請求項１〜請求項４の何れか１つに記載の未記録ＣＤ等の紙製収容保持材。
【請求項６】
写真やメモ等収容ポケット側や未記録ＣＤ等収容部側、あるいは未記録ＣＤ等の片面側にメッセージ記載欄を設けていることを特徴とする請求項１〜請求項５の何れか１つに記載の未記録ＣＤ等の紙製収容保持材。
【請求項７】
収容ポケットの開口窓部を介して観察できるように一連のイメージや図柄、画像を表示したメッセージペーパーと折り畳み状態の収容保持具を収める袋体をもセットにしてグリーティングカードやフォトアルバムとして使用できるように配慮していることを特徴とする請求項１〜請求項６の何れか１つに記載の未記録ＣＤ等の紙製収容保持材。
【請求項８】
収容ポケットの開口窓部を介して観察できるようにメッセージペーパーに好みの写真を貼ることのできる欄を設けると共に、各種の装飾用シールをもセットにしていることを特徴とする請求項１〜請求項７の何れか１つに記載の未記録ＣＤ等の紙製収容保持材。
【請求項９】
セットを構成する各材料の所定部分に表示する一連のイメージとして、結婚式、記念日、旅行、子供、お祝い、プレゼントなどのテーマを選択してそれに沿った統一的デザインを施すことを特徴とする請求項１〜請求項８の何れか１つに記載の未記録ＣＤ等の紙製収容保持材。
【発明の詳細な説明】
【技術分野】
【０００１】  本発明は、写真等の画像データや文書データ、音楽データなどをデジタル形式で保存することができる所定サイズの未記録状態のＣＤやＤＶＤその他の標準規格サイズとされた各種ディスク状媒体を、保存しようとする写真等のデータ内容などと適切なイメージによる関連付けをした統一的なデザインを施しながら収容し、標準的な所定サイズにプリントした写真等と共に適宜に展示するにも適した、各種のグリーティングカードとして利用でき、また、ＣＤ等と共にそこに記録した写真等でプリントした好みのものをアルバム的に整理して保存するに適した新たな収容保持材を提供するものである。
【背景技術】
【０００２】  冠婚葬祭その他のイベント等の挨拶状などの目的で使用するグリーティングカードは広く普及し日常的に用いられている。
また、未記録状態のＣＤやＤＶＤを入手して、デジタルカメラやビデオカメラで撮影した写真等のデータをこれらに記録して保存しておくことも一般化してきている。
グリーティングカードは送る者の気持ちを伝えるものとして、その紙製などによる質感と表面に採用した各種デザインその他のセンスの良さが求められており、これに応じた多様なものが市場に出されている。また、未記録状態の生ＣＤなどについても、記録面の反対側に特定のキャラクターなどを利用した装飾デザインを施しているものが存在する。
【特許文献１】実用新案登録第３０００５３４号
【発明の開示】
【発明が解決しようとする課題】
【０００３】  通常のグリーティングカードは文字表現や同封する写真など紙上の情報を伝えることができるだけである。
一方、ＣＤ等は多量のデジタル化した情報を伝えることができるが、市販されている各種パッケージは安価の質感のものばかりであり、大切な気持ちを込めることはできない。【０００４】  また、グリーティングカードに撮影した写真等のデータを記録したＣＤ等をセンス良く収容することができる製品は提案されて来ていない。また、ＣＤ等とそこに記録した写真などをプリントしたものをセンス良く整理した新しいタイプのフォトアルバムなども存在していない。【０００５】  さらに、送る目的に即した各種のテーマイメージを統一的に取り入れて表示せしめたようなグリーティングカードセットなども勿論存在していない。
上記した特許文献はめもりあるカプセルにＣＤ−Ｒを収容して装飾を施すというアイディアを開示したもので、グリーティングカードやＣＤ等と一体化したフォトアルバムのような製品との関連性は薄い。
【課題を解決するための手段】
【０００６】  この発明は、上記したような課題を解決するために創意工夫を重ねて開発されたものであり、送る者の気持ちを相手に伝えるに相応しい質感やデザインを備えたグリーティングカードでありながら、デジタルカメラ等で撮影した写真等のデータを記録した状態ＣＤ等をも一体としてセンス良く収容せしめ、メッセージや写真を好適に表示させる新たな工夫をも行ったもので、具体的には以下のとおりである。【０００７】  （１）文字や音声や画像の記録媒体としての所定サイズの未記録ＣＤ等を保持する機構を有し、全体を紙製素材により形成した、好ましくは少なくとも二つ折りとした収容保持具であり、所定サイズにプリントされた写真等を同時に収容するためのポケット部を有することを特徴とする未記録ＣＤ等の紙製収容保持材。【０００８】  （２）未記録のＣＤ等を保持する機構が嵌め込み式のものであり、それ以外がすべて紙製素材により形成されたものであることを特徴とする前記（１）項に記載の未記録ＣＤ等の紙製収容保持材。【０００９】  （３）未記録ＣＤ等と写真やメモ等をそれぞれに収容した状態で、折り曲げ部を所定角度に開き立て掛けた状態とすることで収容したＣＤ等と写真等収容ポケット部とを同時に観察できるようにしたことを特徴とする前記（１）項または（２）項に記載の未記録ＣＤ等の紙製収容保持材。【００１０】  （４）写真やメモ等収容ポケット部に開口窓部を形成し、立て掛け状態とした場合に収容した写真等の画像内容が観察可能なものとされていることを特徴とする前記（１）項〜（３）項の何れか１つに記載の未記録ＣＤ等の紙製収容保持材。【００１１】  （５）外側の面・ＣＤデザイン・内側の面にも一連のイメージとしての図柄や画像を印刷し、写真やメモ等の収容ポケットの開口部や収容ポケットの入り口の形状も一連のイメージとしていることを特徴とする前記（１）項〜（４）項の何れか１つに記載の未記録ＣＤ等の紙製収容保持材。【００１２】  （６）写真やメモ等収容ポケット側や未記録ＣＤ等収容部側、あるいは未記録ＣＤ等の片面側にメッセージ記載欄を設けていることを特徴とする前記（１）項〜（５）項の何れか１つに記載の未記録ＣＤ等の紙製収容保持材。【００１３】  （７）収容ポケットの開口窓部を介して観察できるように一連のイメージや図柄、画像を表示したメッセージペーパーと折り畳み状態の収容保持具を収める袋体をもセットにしてグリーティングカードやフォトアルバムとして使用できるように配慮しているこをを特徴とする前記（１）項〜（６）項の何れか１つに記載の未記録ＣＤ等の紙製収容保持材。【００１４】  （８）収容ポケットの開口窓部を介して観察できるようにメッセージペーパーに好みの写真を貼ることのできる欄を設けると共に、各種の装飾用シールをもセットにしていることを特徴とする前記（１）項〜（７）項の何れか１つに記載の未記録ＣＤ等の紙製収容保持材。【００１５】  （９）セットを構成する各材料の所定部分に表示する一連のイメージとして、結婚式、記念日、旅行、子供、お祝い、プレゼントなどのテーマを選択してそれに沿った統一的デザインを施すことを特徴とする前記（１）項〜（８）項の何れか１つに記載の未記録ＣＤ等の紙製収容保持材。
【発明の効果】
【００１６】  文字や音声や画像の記録媒体としての所定サイズの未記録ＣＤ等を保持する機構を有し、全体を紙製素材により形成した、好ましくは少なくとも二つ折りとした収容保持具であり、所定サイズにプリントされた写真等を同時に収容するためのポケット部を有することで、各種グリーティングカードやフォトアルバムに相応しい紙の質感を備えながら、写真データ等を記録させることができるＣＤ等をセンス良く同時に収納できる新しい製品が実現する。【００１７】  未記録のＣＤ等を保持する機構が嵌め込み式のものであり、それ以外がすべて紙製素材により形成されたものであることで、ＣＤ等のしっかりとした嵌め込み保持を実現しながら、全体的にはグリーティングカードやフォトアルバムに用いるに相応しい高級な質感の紙素材を使用してセンスの良いものとすることができる。【００１８】  未記録ＣＤ等と写真やメモ等をそれぞれに収容した状態で、折り曲げ部を所定角度に開き立て掛けた状態とすることで収容したＣＤ等と写真等収容ポケット部とを同時に観察できるようにしたことで、好みの写真等を展示するフォトスタンドとしても利用することが可能となる。【００１９】  写真やメモ等収容ポケット部に開口窓部を形成し、立て掛け状態とした場合に収容した写真等の画像内容が観察可能なものとされていることで、収容ポケットに入れた状態での写真等をより体裁良く展示することが可能となる。【００２０】  外側の面・ＣＤデザイン・内側の面にも一連のイメージとしての図柄や画像を印刷し、写真やメモ等の収容ポケットの開口部や収容ポケットの入り口の形状も一連のイメージとしていることで、全体として統一性のあるテーマに沿ったイメージ表示を行い、各種目的に相応しいメッセージカードセットやフォトスタンドとしても用いることのできるものとなる。【００２１】  写真やメモ等収容ポケット側や未記録ＣＤ等収容部側、あるいは未記録ＣＤ等の片面側にメッセージ記載欄を設けていることで、好みの場所に心のこもったメッセージ等を記載してオリジナル性の高いものとすることができるようになる。【００２２】  収容ポケットの開口窓部を介して観察できるように一連のイメージや図柄、画像を表示したメッセージペーパーと折り畳み状態の収容保持具を収める袋体をもセットにしてグリーティングカードやフォトアルバムとして使用できるように配慮していることで、各種目的に沿ったバリエーション展開を図り需要者の要望に合った新規なグリーティングカードセットを提案することができるようになる。【００２３】  収容ポケットの開口窓部を介して観察できるようにメッセージペーパーに好みの写真を貼ることのできる欄を設けると共に、各種の装飾用シールをもセットにしていることで、好みの装飾的カスタマイズがより自由に行えるようになるので、一層オリジナリティにあふれる使用方法を提案することが可能となる。【００２４】  セットを構成する各材料の所定部分に表示する一連のイメージとして、結婚式、記念日、旅行、子供、お祝い、プレゼントなどのテーマを選択してそれに沿った統一的デザインを施すことで、需要者のニーズの高いイメージテーマに沿った製品をあらかじめ複数種類準備して、購入時の選択を容易にすることができるようになる。
【発明を実施するための最良の形態】
【００２５】  上記してきたような本発明の具体的な実施の態様の若干例を添付図面等を利用しながら以下説明する。
図１は、本発明によるグリーティングカードセット１の基本的構成要素を説明する図面である。
すなわち、メッセージ記載用カード２と未記録状態のＣＤ等３、メッセージカード２とＣＤ等３とを同時に収容できる２つ折りの収容保持材４、これらをさらに包装するための封筒５などである。【００２６】  これらの中でＣＤ等３を嵌め込み式に保持する機構６はプラスチック素材などにより形成されるが、それ以外はメッセージカードセット１として相応しい高級な質感を備えた紙素材によって形成することが１つの特徴となっている。【００２７】  図２は、より具体的な使用方法の１例を説明する図面である。
すなわち、本発明では上記した構成要素のそれぞれに一定のテーマに沿った装飾的デザイン（例えば、「お誕生日」などに沿ったイメージデザイン）を統一的に施すことを大きな特質としている。
つまり、記念日などをテーマとする場合を例に説明しているが、メッセージカード２には写真７の貼付スペース８を設け、ＣＤ等３に記録されたデータなどのインデックス欄や手書きメッセージ記載スペース９も設ける。【００２８】  未記録のＣＤ等３の記録面反対側にもイメージテーマに沿ったデザイン装飾１０を全体との統一性を持ったものとして表現させる。また、収容保持材４のＣＤ等収容スペース１１にも同様なイメージデザインを施しておく。【００２９】  メッセージカード収容ポケット１２には適宜な形状の開口窓部１３を設けてメッセージカード２を収容すると上記貼付写真６がそこから観察できるようにされている。この窓部１３の形状は目的に応じてさまざまに変形させて構わない（窓部変形例１４）。【００３０】  ２つ折りとされた収容保持材４の少なくとも見開き面側１５には、同様に統一感のあるイメージデザインを施しておくべきである。また、余白に別個のメッセージ記載欄を設けたり、好みにより装飾シールなどを貼り付けてアレンジするものとして良い。【００３１】  また、２つ折りの収容保持材４を半ば開いた形で立てかけてやると、収容ポケット１２の窓部１３を利用して好みの写真７を展示するフォトスタンド１６としても使用することが可能である。【００３２】  図３は、イメージテーマとして「記念日」を採用する場合の本発明メッセージカードセット１の１例を示すものである。もちろん同じ「記念日」をテーマとしても複数のデザイン展開は可能である。【００３３】  図４は、同様に「旅行」をイメージテーマとした場合、図５は「ペット」をイメージテーマとした場合についてそれぞれに本発明のメッセージカードセット１としての１例を示しているものである。【００３４】  本発明に採用できるイメージテーマはもちろんこれらに限られるものではなく、例えば、「テーマ：結婚、デザイン：リング、ケーキ、ブーケ」、「テーマ：休暇、デザイン：海の遊び道具、飛行機」、「テーマ：赤ちゃん、デザイン：赤ちゃんのおもちゃ」、「テーマ子供（男女）、デザイン：おもちゃ」、「テーマ：ＨＡＰＰＹＤＡＹＳ、デザイン：花、ハート」、「テーマ：Ｓｃｈｏｏｌ  Ｄａｙｓ：デザイン：文具、教室、学校道具」、テーマ：卒業、お別れ、デザイン：さくら」、「テーマ：Ｍｙ  ｆａｖｏｒｉｔｅ、デザイン：おもちゃ、雑貨」、「テーマ：お祝い、デザイン：花、お祝い道具」、「テーマ：記録、デザイン：カメラ、写真、アルバム」、「テーマ：ＦＯＲＹＯＵ、デザイン：プレゼント」のように多種多様な展開が可能である。
【産業上の利用可能性】
【００３５】  以上のように、本発明はグリーティングカードセットとしての紙素材による高級な質感やセンスの良いデザイン表現を生かしながらＣＤなどによるデジタル化したデータやそれをプリントした写真などを含めて、装具的に統一感のあるものとして新たな製品化を実現するものである。【００３６】  したがって、新たな需要を市場に喚起するものとして産業上の利用可能性において優れた発明であると理解できるものである。
【図面の簡単な説明】
【００３７】
【図１】  本発明のグリーティングカードセットの基本構成を示す図面である。
【図２】  本発明の具体的な使用方法の１例を示す説明図である。
【図３】  イメージテーマとして「記念日」を採用する場合の本発明メッセージカードセットの１例を示すものである。
【図４】  「旅行」をイメージテーマとした場合について、本発明のメッセージカードセットとしての１例を示しているものである
【図５】  「ペット」をイメージテーマとした場合について、本発明のメッセージカードセットとしての１例を示しているものである
【符号の説明】
【００３８】  １  本発明のメッセージカードセット
２  メッセージカード
３  未記録状態のＣＤ等
４  ２つ折り収容保持材
５  封筒
６  嵌め込み式ＣＤ等保持機構
７  写真
８  写真貼付スペース
９  手書きメッセージ記載スペース
１０  デザイン装飾
１１  ＣＤ等収容スペース
１２  メッセージカード収容ポケット
１３  開口窓部
１４  窓部変形例
１５  見開き面
１６  フォトスタンド
【図１】
2008162686.tif 000003
【図２】
2008162686.tif 000004
【図３】
2008162686.tif 000005
【図４】
2008162686.tif 000006
【図５】
2008162686.tif 000007